(57)【要約】【課題】  レンズを大型化することなく、高い光学性能を維持しつつ広画角化可能で、かつ高ズーム比のズームレンズを得ること。【解決手段】物体側より像側へ順に、正の屈折力の第１レンズ群、負の屈折力の第２レンズ群、および１以上のレンズ群を含み、全体として正の屈折力後群を有するズームレンズにおいて、第１レンズ群の全体または一部を光軸外に外すことにより、広角化を図るとともに、第２レンズ群より後群の群内または群間に補正レンズ群を挿入する。光軸外に外したレンズまたはレンズ群の焦点距離ｆｏｕｔ、挿入した補正レンズ群の焦点距離をｆｉｎとするとき、０．３＜ｆｏｕｔ／ｆｉｎ＜３．３なる条件式を満足することを特徴とするズームレンズ。【選択図】    図２
2019095628.tif 000002
【特許請求の範囲】
【請求項１】
物体側より像側へ順に、正の屈折力の第１レンズ群、負の屈折力の第２レンズ群、および１以上のレンズ群を含み、全体として正の屈折力後群を有するズームレンズにおいて、
前記第１レンズ群の全体または一部を光軸外に外すことにより、広角化を図るとともに、前記第２レンズ群より後群の群内または群間に補正レンズ群を挿入する。
光軸外に外したレンズまたはレンズ群の焦点距離ｆｏｕｔ、挿入した補正レンズ群の焦点距離をｆｉｎとするとき、
０．３＜ｆｏｕｔ／ｆｉｎ＜３．３
なる条件式を満足することを特徴とするズームレンズ。
【請求項２】
前記第２レンズ群の焦点距離をｆ２とするとき、以下の条件式を満足することを特徴とする請求項１に記載のズームレンズ。
−０．５＜ｆ２／ｆｉｎ＜−０．０３
【請求項３】
前記ズームレンズの広角端における全系の焦点距離をｆｗとするとき、以下の条件式を満足することを特徴とする請求項１または２に記載のズームレンズ。
０．０１＜ｆｉｎ／ｆｗ＜０．３
【請求項４】
前記挿入後のズームレンズの広角端における絞りから挿入する補正レンズ群までの距離をＤｓ、広角端における焦点距離をｆｗ’とするとき、以下の条件式を満足することを特徴とする請求項１乃至３のいずれか１項に記載のズームレンズ。
１．０＜Ｄｓ／ｆｗ’＜３０
【請求項５】
前記ズームレンズの光軸外に外すレンズ群の厚みをＤｏｕｔ、挿入するレンズ群の厚みをＤｉｎとするとき、以下の条件式を満足することを特徴とする請求項１乃至４のいずれか１項に記載のズームレンズ。
１．２＜Ｄｏｕｔ／Ｄｉｎ＜５０．０
【請求項６】
以下の条件式を満足することを特徴とする請求項１乃至５のいずれか１項に記載のズームレンズ。
５．０＜ｆｏｕｔ／ｆｗ＜１００．０
【請求項７】
補正レンズ群Ｌｉｎの横倍率βｉｎとするとき、以下の条件式を満足することを特徴とする請求項１乃至６のいずれか１項に記載のズームレンズ。
０．３＜βｉｎ＜１．５
【請求項８】
前記挿入する補正レンズ群は正の単レンズよりなることを特徴とする請求項１乃至７のいずれか１項に記載のズームレンズ。
【請求項９】
挿入するレンズ群Ｌｉｎを構成する正レンズのアッベ数をνｄｉｎとするとき、以下の条件式を満足する正レンズを少なくとも１枚含むことを特徴とする請求項１乃至８のいずれか１項に記載のズームレンズ。
１３．０＜νｄｉｎ＜６５．０
【請求項１０】
固体撮像素子に像を形成することを特徴とする請求項１乃至９のいずれか１項に記載のズームレンズ。
【請求項１１】
請求項１乃至１０のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズに関するものであり、特にデジタルスチルカメラ、ビデオカメラ、監視カメラ、放送用カメラ、銀塩写真用カメラ等の撮像装置に用いる撮影レンズとして好適なものである。
【背景技術】
【０００２】
近年、固体撮像素子を用いたビデオカメラ、デジタルスチルカメラ、ＴＶカメラ、そして銀塩フィルムを用いたカメラ等の撮像装置は高機能化されている。
【０００３】
これらに用いられる撮影レンズとしては、幅広い画角をカバーする、広画角かつ高ズーム比のズームレンズが要求されている。望遠端の高ズーム比化のためには、最も物体側の群が正群である所謂、ポジティブリード型のズームレンズが知られている。
【０００４】
一方で、広角端の広画角化のためには、最も物体側の群が負群である所謂、ネガティブリード型のズームレンズが知られている。
【０００５】
これらポジティブリード型のズームレンズの特徴である高倍化、およびネガティブリード型のズームレンズの特徴である広角化を同時に満たすための工夫として、以下のようなものが知られている。
【０００６】
物体側から順に正、負の屈折力の第１、第２レンズ群を含むポジティブリード型のズームレンズにおいて、第１レンズ群の全体または一部を光軸外に取り外す。正の屈折力の第１レンズ群を取り外すことにより、ネガティブリード型のズームレンズとすることで、通常状態の広角端の焦点距離よりも短い焦点距離のズームレンズが得られる。
【先行技術文献】
【特許文献】
【０００７】
【特許文献１】特開昭５７―０１８１３号公報
【特許文献２】特開平６−２５００８４号公報
【特許文献３】特開平６−２６５７８５号公報
【発明の概要】
【発明が解決しようとする課題】
【０００８】
高倍率かつ広画角なズームレンズを達成するためには、ポジティブリードのズームレンズにおいて、特許文献１〜３に開示されているような技術が知られている。
【０００９】
特許文献１では、物体側から順に、正の屈折力で固定の第１レンズ群、負の屈折力の第２レンズ群、正または負の屈折力の第３レンズ群を含むズームレンズの実施例が開示されている。これらの実施例においては、可動の第２レンズ群以降の群を通常の操作時とは異なる位置に移動させ、固定の第１レンズ群の全体または一部を光軸外に取り外すことで、ズームレンズの広角化を図っている。
【００１０】
特許文献２では、物体側から順に、正の屈折力で固定の第１レンズ群、負の屈折力の第２レンズ群、負または正の屈折力の第３レンズ群を含むズームレンズの実施例が開示されている。これらの実施例においては、各レンズ群を広角端の状態で、第１レンズ群を取り外すことによって、超広角化を達成している。
【００１１】
特許文献３では、物体側から順に、正の屈折力で固定の第１レンズ群、負の屈折力の第２レンズ群、正の屈折力の第３レンズ群、正の屈折力の第４レンズ群および第５レンズ群の５群ズームレンズの実施例が開示されている。実施例においては、最も物体側の第１レンズ群を少なくとも１枚のレンズを残して一部を脱着機構により該レンズ群より脱着可能に支持させ、該一部のレンズを前記ズームレンズの光路に含まれない様に移動させることにより変倍域を拡大させたズームレンズを開示している。
【００１２】
しかしながら、特許文献１〜３はいずれも正の屈折力の第１レンズ群を外すことで、元のズームレンズと比べて、収差が低下してしまう。とりわけ、正の屈折力の第１レンズ群の一部または全体を外すことにより、像面湾曲、非点収差に関係するパラメータであるペッツバール和（レンズ系全体のレンズの焦点距離×屈折率の逆数の総和）が大きく崩れ、性能が低下する。同時に色収差も低下する。
【００１３】
本発明は、レンズを大型化することなく、高い光学性能を維持しつつ広画角化可能で、かつ高ズーム比のズームレンズおよび撮像装置の提供を目的とする。
【課題を解決するための手段】
【００１４】
本発明のズームレンズは、物体側より像側へ順に、正の屈折力の第１レンズ群、負の屈折力の第２レンズ群、および１以上のレンズ群を含み、全体として正の屈折力後群を有するズームレンズにおいて、
該第１レンズ群の全体または一部を光軸外に外すことにより、広角化を図るとともに、
該第２レンズ群より後群の群内または群間に補正レンズ群を挿入し、 該補正レンズ群は以下の条件式を満足することを特徴とする。 
０．３＜ｆｏｕｔ／ｆｉｎ＜２．０
ここで、ｆｏｕｔは光軸外に外したレンズまたはレンズ群の焦点距離  ｆｉｎは挿入した補正レンズ群の焦点距離 である。
【発明の効果】
【００１５】
本発明によれば、レンズを大型化することなく、高い光学性能を維持しつつ広画角化可能で、かつ高ズーム比のズームレンズが得られる。
【図面の簡単な説明】
【００１６】
【図１】本発明の実施例１の広角端におけるレンズ断面図
【図２】（Ａ）、（Ｂ），（Ｃ）本発明の実施例１に対応する数値実施例１の広角端、中間のズーム位置、望遠端における収差図
【図３】本発明の実施形態１の広角端におけるレンズ断面図
【図４】（Ａ）、（Ｂ）本発明の実施形態１の補正群挿入前の広角端における収差図と補正群挿入後の収差図。
【図５】本発明の実施形態２の広角端におけるレンズ断面図
【図６】本発明の実施形態２の補正群挿入後の広角端における収差図。
【図７】本発明の実施形態３の広角端におけるレンズ断面図
【図８】本発明の実施形態３の補正群挿入後の広角端における収差図。
【図９】本発明の実施形態４の広角端におけるレンズ断面図
【図１０】（Ａ）、（Ｂ）本発明の実施形態４の補正群挿入前の広角端における収差図と補正群挿入後の収差図。
【図１１】本発明の実施例２の広角端におけるレンズ断面図
【図１２】（Ａ）、（Ｂ）、（Ｃ）本発明の実施例２に対応する数値実施例２の広角端、中間のズーム位置、望遠端における収差図
【図１３】本発明の実施形態５の広角端におけるレンズ断面図
【図１４】（Ａ）、（Ｂ）本発明の実施形態５の補正群挿入前の広角端における収差図と補正群挿入後の収差図。
【図１５】本発明の実施例３の広角端におけるレンズ断面図
【図１６】（Ａ）、（Ｂ）、（Ｃ）本発明の実施例３に対応する数値実施例２の広角端、中間のズーム位置、望遠端における収差図
【図１７】本発明の実施形態６の広角端におけるレンズ断面図
【図１８】（Ａ）、（Ｂ）本発明の実施形態６の補正群挿入前の広角端における収差図と補正群挿入後の収差図。
【発明を実施するための形態】
【００１７】
本発明の好ましい形態を図で説明する。本発明のズームレンズは、物体側より像側へ順に、正の屈折力の第１レンズ群、負の屈折力の第２レンズ群、および１以上のレンズ群を含み、全体として正の屈折力後群を有するズームレンズにおいて、
前記第１レンズ群の全体または一部を光軸外に外すことにより、広角化を図るとともに、前記第２レンズ群より後群の群内または群間に補正レンズ群を挿入する。
各実施例において、光軸外に外したレンズまたはレンズ群の焦点距離ｆｏｕｔ、挿入した補正レンズ群の焦点距離をｆｉｎとするとき、
０．３＜ｆｏｕｔ／ｆｉｎ＜３．３・・・・・（１）
なる条件式を満足する。
【００１８】
１０倍を超える高ズーム比化のために、正の屈折力の第１レンズ群、負の屈折力の第２レンズ群、および１以上のレンズ群を含み、全体として正の屈折力の後群を有するポジティブリード型のズームレンズを採用している。
【００１９】
一般にポジティブリード型のズームレンズにおいて広角端をより広角化するためには正の第１レンズ群の正の屈折力を小さくし、広角端における正の屈折力の第１レンズ群と負の屈折力の第２レンズ群の合成の負の屈折力を大きくする必要がある。
【００２０】
しかしながら、正の第１レンズ群の屈折力を小さくすると、望遠端の高ズーム比のためには全長および前玉径が大きくなり、レンズが大型化してしまう。
【００２１】
本発明では正の屈折力の第１レンズ群の全体または一部を光軸外に外すことにより、正の屈折力の第１レンズ群と負の屈折力の第２レンズ群の合成の負の屈折力を強め、元のズームレンズよりも広角化を図っている。
【００２２】
しかしながら、正の屈折力のレンズまたは群を光軸外に外すことにより、ズーム全域でペッツバール和の補正のバランスが崩れ、主に像面湾曲、非点収差が発生してしまう。
【００２３】
具体的には正の屈折力の補正のパワーが弱まるため、ペッツバール和が大きく負になり、像面はオーバー傾向になる。
【００２４】
そこで本発明では前記第２レンズ群より後群の群内または群間に補正レンズ群を挿入することで良好な性能を確保している。
【００２５】
条件式（１）はレンズを光軸外に外した後のレンズの収差を補正し、良好な光学性能を得るために、光軸外に外したレンズまたはレンズ群（以下総称してレンズ群Ｌｏｕｔ）の焦点距離ｆｏｕｔと挿入した補正レンズ群Ｌｉｎの焦点距離ｆｉｎとの比を適切に定めたものである。
【００２６】
条件式（１）の下限値を超えて、光軸外に外したレンズ群Ｌｏｕｔの焦点距離ｆｏｕｔが大きくなりすぎると、元のズームレンズに比べてペッツバール和が補正過剰になり、像面湾曲がアンダー傾向になる。
【００２７】
また、光軸外に外したレンズ群Ｌｏｕｔの屈折力が弱いため、高倍ズーム比化する場合に全長および前玉径が大型化してしまう。
【００２８】
条件式（１）の上限値を超えて、光軸外に外したレンズ群Ｌｏｕｔの焦点距離ｆｏｕｔが小さくなりすぎると、元のズームレンズに比べてペッツバール和が補正不足になり、像面湾曲がオーバー傾向になる。
【００２９】
また、光軸外に外したレンズ群Ｌｏｕｔの屈折力が強いため、像面湾曲、非点収差以外の例えば色収差、球面収差、コマ収差などの諸収差が大きく発生してしまうため、補正レンズ群Ｌｉｎで補正するのが困難となる。さらに、補正しようとするとレンズ枚数が増加し、挿入するためのスペースを確保するためにズームレンズが大型化し、良くない。
【００３０】
以上の如く構成することにより、光学系全体を大型化することなく、高い光学性能を維持しつつ広画角化可能で、かつ高ズーム比のズームレンズが得られる。
【００３１】
尚、更に好ましくは条件式（１）の数値範囲を次の如く設定するのが良い。
【００３２】
０．３５＜ｆｏｕｔ／ｆｉｎ＜３．０        ・・・（１ａ）
更に好ましくは条件式（１ａ）の数値範囲を次の如く設定するのが良い。
【００３３】
０．４０＜ｆｏｕｔ／ｆｉｎ＜２．８        ・・・（１ｂ）
さらに、十分な広角化と高ズーム比化およびレンズ系全体の小型化を図るためには、各群の焦点距離、レンズ群の厚み、レンズ構成などを適切に設定することが好ましい。
具体的には、本発明において、更に好ましくは次の諸条件のうち１以上を満足するのが良い。
【００３４】
−０．５＜ｆ２／ｆｉｎ＜−０．０３・・・・（２）
０．０１＜ｆｉｎ／ｆｗ＜０．３・・・・・・（３）
１．０＜Ｄｓ／ｆｗ’＜３０・・・・・・・・（４）
１．２＜Ｄｏｕｔ／Ｄｉｎ＜５０．０・・・・（５）
５．０＜ｆｏｕｔ／ｆｗ＜１００．０・・・・（６）
０．３＜βｉｎ＜１．５・・・・・・・・・・（７）
１３．０＜νｄｉｎ＜６５．０・・・・・・・（８）
【００３５】
ここで、第２レンズ群Ｌ２の焦点距離をｆ２、元のズームレンズの広角端における焦点距離をｆｗ、補正レンズ群挿入後の広角端における焦点距離をｆｗ’、絞りから挿入する補正レンズ群までの距離をＤｓ、光軸外に外すレンズ群Ｌｏｕｔの厚みをＤｏｕｔ、挿入するレンズ群の厚みをＤｉｎ、補正レンズ群Ｌｉｎの横倍率βｉｎ、挿入するレンズ群Ｌｉｎを構成する正レンズのアッベ数をνｄｉｎとする。
【００３６】
条件式（２）は補正レンズ挿入後のズームレンズの収差を良好に補正しつつ、十分な広角化作用を得るために第２レンズ群Ｌ２の焦点距離ｆ２および、挿入レンズ群Ｌｉｎの焦点距離ｆｉｎを適切に定めたものである。条件式（２）の下限値を超えて、第２レンズ群Ｌ２の焦点距離ｆ２が補正レンズ群Ｌｉｎの焦点距離ｆｉｎに比べて小さくなりすぎると、像面湾曲および非点収差の補正が困難になる。
【００３７】
また、補正をしようとすると挿入する補正レンズ群の枚数が増加し、ズームレンズ中により大きなスペースを確保する必要が生じ、ズームレンズの大型化を招くため、良くない。
【００３８】
条件式（２）の上限値を超えて、第２レンズ群Ｌ２の焦点距離ｆ２が補正レンズ群Ｌｉｎの焦点距離ｆｉｎが大きくなりすぎると、十分な広角化の作用が得られない。また、第２レンズ群Ｌ２の有効径が大きくなるため、レンズが大型化する。さらに、高倍化のためには２群の移動量が大きくなり全長が大きくなり、ズームレンズが大型化する。
【００３９】
条件式（３）はズームレンズを小型化しつつ、補正レンズ挿入後のズームレンズの収差を良好に補正するために、挿入レンズ群Ｌｉｎと元のズームレンズの広角端における焦点距離ｆｗを適切に定めたものである。条件式（３）の下限値を超えて、補正レンズ群Ｌｉｎの焦点距離ｆｉｎが元のズームレンズの広角端の焦点距離ｆｗに比べて小さくなりすぎると、主に像面湾曲、球面収差、色収差などが低下してしまう。
【００４０】
また、補正レンズ群Ｌｉｎの偏芯敏感度が高くなりすぎるため、組み立てる後に片ボケなどが発生し、光学性能が低下する。
【００４１】
条件式（３）の上限値を超えて、補正レンズ群Ｌｉｎの焦点距離ｆｉｎが元のズームレンズの広角端の焦点距離ｆｗに比べて大きくなりすぎると、主に像面湾曲の補正が不足となり、良好な光学性能が得られない。
【００４２】
条件式（４）はズームレンズを小型化しつつ、補正レンズ挿入後のズームレンズの主に像面湾曲、非点収差などを良好に補正するために絞りから補正レンズ群までの距離Ｄｓおよび広角端の挿入後のズームレンズの広角端における焦点距離ｆｗ’を適切に定めたものである。
【００４３】
条件式（４）の下限値を超えて、絞りから補正レンズ群までの距離Ｄｓが挿入後のレンズの広角端における焦点距離ｆｗ’に比べて小さくなりすぎると、主に像面湾曲、非点収差の補正が困難となる。条件式（４）の上限値を超えて、絞りから補正レンズ群までの距離Ｄｓが挿入後のレンズの広角端における焦点距離ｆｗ’に比べて大きくなりすぎると、球面収差などの補正が困難となる。
【００４４】
また、挿入レンズ群が大型し、ズームレンズに挿入するスペースを確保するためにズームレンズが大型化してしまう。
【００４５】
条件式（５）はズームレンズを小型化しつつ、補正レンズ挿入後のズームレンズの収差を良好に補正するために、光軸外に外すレンズ群Ｌｏｕｔの厚みＤｏｕｔおよび、挿入するレンズ群の厚みＤｉｎを適切に定めたものである。
【００４６】
条件式（５）の下限値を超えて、軸外に外すレンズ群Ｌｏｕｔの厚みＤｏｕｔが挿入するレンズ群の厚みＤｉｎに比べて小さくなりすぎると、レンズ群を挿入するためのスペースを確保するためにレンズ全長が長くなり、ズームレンズが大型化してしまう。条件式（５）の上限値を超えて、軸外に外すレンズ群Ｌｏｕｔの厚みＤｏｕｔが挿入するレンズ群の厚みＤｉｎに比べて大きくなりすぎると、十分な収差補正効果が得られなくなる。
【００４７】
条件式（６）はズームレンズを小型化しつつ、広角でかつ高倍化するために軸外に外すレンズ群Ｌｏｕｔの焦点距離ｆｏｕｔと補正レンズ群Ｌｉｎ挿入後のズームレンズの広角端における焦点距離ｆｗ’の範囲を適切に定めたものである。
【００４８】
条件式（６）の下限値を超えて、軸外に外すレンズ群Ｌｏｕｔの焦点距離ｆｏｕｔが挿入後のズームレンズの広角端に比べて小さくなりすぎると、高倍化した際に主に望遠端における色収差補正が困難となる。条件式（６）の上限値を超えて、軸外に外すレンズ群Ｌｏｕｔの焦点距離ｆｏｕｔが挿入後のズームレンズの広角端に比べて大きくなりすぎると、高倍化するためには１群を大きく動かして変倍しなければならず、望遠端の全長が伸びるため、良くない。また、主に望遠端における球面収差の補正が困難となる。
【００４９】
条件式（７）はズームレンズを小型化しつつ、広角でかつ高倍化するために挿入する補正レンズ群Ｌｉｎの横倍率βｉｎの範囲を適切に定めたものである。
【００５０】
条件式（７）の下限値を超えて、挿入するレンズ群Ｌｉｎの横倍率βｉｎが小さくなりすぎると、少ない補正枚数で収差を補正するのが困難となり、補正群Ｌｉｎをいれるためのスペースを確保するために、レンズが大型化してしまう。条件式（７）の上限値を超えて、挿入するレンズ群Ｌｉｎの横倍率βｉｎが大きくなりすぎると、収差の補正効果が少なくなり、主に像面湾曲収差が十分に収差が補正しきれない。
【００５１】
条件式（８）はズームレンズを小型化しつつ、広角化した際の色収差を良好に補正するために挿入するレンズ群Ｌｉｎを構成する正レンズのアッベ数νｄｉｎの範囲を規定したものである。
【００５２】
条件式（８）の下限値を超えて、挿入するレンズ群Ｌｉｎを構成する正レンズのアッベ数νｄｉｎが小さくなりすぎると、広角化した際のｇ線（波長４３５．８nm）の倍率色収差の補正が過剰となるため、光学性能が低下し、解像度が低下する。条件式（８）の上限値を超えて、挿入するレンズ群Ｌｉｎを構成する正レンズのアッベ数νｄｉｎが大きくなりすぎると、広角化した際のｇ線の倍率色収差の補正が不足となるため、青側の色収差が大きく残存してしまう。
【００５３】
尚、さらにズームレンズの広角化と高ズーム比化およびレンズ系全体の小型化を図るためには、条件式（２）乃至（５）の数値範囲を次の如く設定するのが好ましい。
【００５４】
−０．３＜ｆ２／ｆｉｎ＜−０．０５・・・・（２ａ）
０．０２＜ｆｉｎ／ｆｗ＜０．２・・・・・・（３ａ）
１．０＜Ｄｓ／ｆｗ’＜３０・・・・・・・・（４ａ）
１．５＜Ｄｏｕｔ／Ｄｉｎ＜３０．０・・・・（５ａ）
８．０＜ｆｏｕｔ／ｆｗ’＜５０．０・・・・（６ａ）
０．５＜βｉｎ＜１．２・・・・・・・・・・（７ａ）
１５．０＜νｄｉｎ＜４５．０・・・・・・・（８ａ）
【００５５】
更に、好ましくは挿入レンズ群Ｌｉｎの構成枚数は２枚以下が良い。これにより、レンズを挿入するために確保するスペースが少なくなり、レンズの小型化と良好な光学性能の両立が可能となる。
【００５６】
更に、好ましくは挿入レンズ群Ｌｉｎの構成枚数は１枚の正レンズで構成するのが良い。これにより、さらに簡易な構成でレンズの小型化と良好な光学性能の両立が可能となる。
【００５７】
以上の如く構成することにより、光学系全体が小型を維持したまま、広角化が可能となり、さらに収差を良好に補正した高倍率なズームレンズが得られる。
【００５８】
以下、各実施例について具体的に説明する。
【００５９】
図１、図１１の実施例１および２のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
実施例１および２は５群ズームレンズである。
【００６０】
図１５の実施例３のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群である。実施例３は４群ズームレンズである。
【００６１】
図３は実施例１において、第１レンズ群Ｌ１の全体を光軸外に外し、補正レンズ群Ｌｉｎを第５レンズ群Ｌ５の後ろに挿入した実施形態１の広角端における断面図である。
【００６２】
実施形態１の補正レンズ群Ｌｉｎは正レンズ１枚構成である。
【００６３】
図５は実施例１において、第１レンズ群Ｌ１の全体を光軸外に外し、補正レンズ群Ｌｉｎを第４レンズ群Ｌ４と第５レンズ群Ｌ５の間に挿入した実施形態２の広角端における断面図である。
【００６４】
実施形態２の補正レンズ群Ｌｉｎは正レンズ１枚構成である。
【００６５】
図７は実施例１において、第１レンズ群Ｌ１の全体を光軸外に外し、補正レンズ群Ｌｉｎを第３レンズ群Ｌ４と第４レンズ群Ｌ４の間に挿入した実施形態３の広角端における断面図である。
【００６６】
実施形態３の補正レンズ群Ｌｉｎは正レンズ１枚構成である。
【００６７】
図９は実施例１において、第１レンズ群Ｌ１の一部を光軸外に外し、補正レンズ群Ｌｉｎを第５レンズ群Ｌ５の後ろに挿入した実施形態４の広角端における断面図である。実施形態４の補正レンズ群Ｌｉｎは正レンズ１枚構成である。
【００６８】
図１１は実施例２において、第１レンズ群Ｌ１の全体を光軸外に外し、補正レンズ群Ｌｉｎを第５レンズ群Ｌ５の後ろに挿入した実施形態５の広角端における断面図である。実施形態５の補正レンズ群Ｌｉｎは正レンズ１枚構成である。
【００６９】
図１５は実施例３において、第１レンズ群Ｌ１の全体を光軸外に外し、補正レンズ群Ｌｉｎを第４レンズ群Ｌ４の後ろに挿入した実施形態５の広角端における断面図である。実施形態６の補正レンズ群Ｌｉｎは正レンズおよび負レンズの２枚構成である。
【００７０】
各実施例および実施形態において、ＳＰは開口絞りであり、実施例１では第３レンズ群Ｌ３と第２レンズ群Ｌ２との間に配置し、ズーム時に独立に移動させている。これにより、前玉径の小型化および、主に広角端付近の周辺光量の急峻な落ちを緩和している。実施例２、３では第３レンズ群Ｌ３中に配置し、第３レンズ群と一体に移動させている。
【００７１】
これにより、望遠端において第２レンズ群Ｌ２と第３レンズ群Ｌ３の間隔を狭めることができ、望遠端における全長の短縮および、それに伴う高変倍比化を実現している。また、ＦＰはフレアー絞りであり、第３レンズ群Ｌ３の像側に配置しており、不要光を遮光している。
【００７２】
Ｇは光学フィルター、フェースプレート、水晶ローパスフィルター、赤外カットフィルター等に相当する光学ブロックである。
【００７３】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００７４】
収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ｆｎｏはＦナンバーである。
【００７５】
尚、以下の各実施例において広角端と望遠端は変倍用レンズ群が機構上光軸上を移動可能な範囲の両端に位置したときのズーム位置をいう。
【００７６】
実施例１、２では、広角端から望遠端へのズーミングに際して矢印のように第１〜第５レンズ群Ｌ１〜Ｌ５を移動させている。
【００７７】
具体的には、広角端から望遠端へのズーミングに際して矢印のように第１レンズ群Ｌ１を像側へ凸状の軌跡を描いて移動させている。
【００７８】
第２レンズ群Ｌ２を像側へ、非直線的に移動させている。第３レンズ群Ｌ３を物体側へ移動させている。第４レンズ群Ｌ４を移動させ、第５レンズ群は物体側へ凸状の軌跡を描いて移動させている。
【００７９】
実施例３では広角端から望遠端へのズーミングに際して矢印のように第１〜第４レンズ群Ｌ１〜Ｌ４を移動させている。
【００８０】
具体的には、広角端から望遠端へのズーミングに際して矢印のように第１レンズ群Ｌ１を像側へ凸状の軌跡を描いて移動させている。
【００８１】
第２レンズ群Ｌ２を像側へ凸状の軌跡を描いて移動させている。第３レンズ群Ｌ３を物体側へ移動させている。第４レンズ群は物体側へ凸状の軌跡を描いて移動させている。
【００８２】
各実施例では、ズーミングに際し、広角端に比べて望遠端において第１レンズ群Ｌ１と第３レンズ群Ｌ３がいずれも物体側に位置する様に移動させている。これにより広角端におけるレンズ全長を短くし、前玉の小型化を図りつつ、高い変倍比が得られるようにしている。
【００８３】
特に、各実施例では、正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく高ズーム比を得ている。
【００８４】
また、実施例１、２および実施形態１〜５では第５レンズ群Ｌ５を光軸上移動させてフォーカシングを行うリヤーフォーカス式を採用している。
実施例３および実施形態６では第４レンズ群Ｌ４を光軸上移動させてフォーカシングを行うリヤーフォーカス式を採用している。
【００８５】
望遠端において無限遠物体から近距離物体へフォーカスを行う場合には実施例１、２および実施形態１〜５では図１、図２、図５、図７、図９、図１１、図１２の矢印５ｃに示すように第５レンズ群Ｌ５を前方に繰り出すことによって行っている。
【００８６】
実線の曲線５ａと点線の曲線５ｂは各々無限遠物体と近距離物体にフォーカスしているときの広角端から望遠端へのズーミングに伴う際の像面変動を補正するための移動軌跡を示している。また、フォーカシングは第４レンズ群Ｌ４でも行うことができる。
【００８７】
実施例３および実施形態６では図１５、図１６の矢印４ｃに示すように第４レンズ群Ｌ４を前方に繰り出すことによって行っている。実線の曲線４ａと点線の曲線４ｂは各々無限遠物体と近距離物体にフォーカスしているときの広角端から望遠端へのズーミングに伴う際の像面変動を補正するための移動軌跡を示している。
【００８８】
負の第４レンズ群でフォーカシングを行う際には、無限遠物体から近距離物体へフォーカスを行う場合、第４レンズ群Ｌ４を後方に繰り込むことによって行う。
【００８９】
実施形態１〜６においては、補正レンズ群Ｌｉｎを挿入後もフォーカスレンズ群以外の各群は元のズームレンズと同じ位置に配置され、元のズームレンズの像面位置が変動しないようにフォーカスレンズ群を動かしている。
【００９０】
さらに、各実施例では正の屈折力の第３レンズ群全体を光軸に対し垂直方向の成分を持つように移動させて、光軸に対し垂直方向に像を変移させている。これにより光学系（ズームレンズ）全体が振動（傾動）したときの撮影画像のぶれを補正している。また、垂直方向の成分を持てば、第３レンズ群Ｌ３を回動させて防振を行っても良い。
【００９１】
各実施例では、可変頂角プリズム等の光学部材や防振のためのレンズ群を新たに付加することなく防振を行うようにし、これによって光学系全体が大型化するのを防止している。また、第３レンズ群の一部で防振を行っても良い。
【００９２】
第１レンズ群Ｌ１の有効レンズ径を小型化するためには、第１レンズ群Ｌ１を構成するレンズの数が少ない方が好ましい。
実施例１、２において第１レンズ群Ｌ１は物体側から像側へ順に、負、正、正の３枚のレンズからなる。
【００９３】
これにより高ズーム比を図る際に発生する球面収差と色収差を良好に補正している。
実施例３において第１レンズ群Ｌ１は物体側から像側へ順に、負、正の２枚の接合レンズからなる。これにより、高ズーム比および小型化を両立させている。
【００９４】
各実施例においては第２レンズ群Ｌ２は物体側から順に負レンズ、負レンズ、正レンズの３枚構成である。この構成により第１レンズ群の全体または一部を光軸外に外し、広角化した際にも収差を良好に補正できる。
【００９５】
第３レンズ群Ｌ３は負レンズ１枚と正レンズ２枚を含む。これにより主に、防振時およびズーミングの中間ポジションでの球面収差、コマ収差を良好に補正している。
具体的には実施例１，２においては物体側から像側へ順に、正の単レンズ、負の単レンズ、正の単レンズで構成している。
【００９６】
実施例３においては物体側から像側へ順に、正の単レンズ、正および負の接合レンズ、で構成している。
【００９７】
第３レンズ群Ｌ３は１以上の非球面を有している。これによってズーミングに伴う球面収差変動を良好に補正している。
【００９８】
実施例１においては第４レンズ群Ｌ４を負レンズ１枚で構成している。実施例２においては第４レンズ群Ｌ４を負レンズ１枚および正レンズ１枚で構成している。これにより、主にズーム中間域および望遠端における色収差をより良好に改善している。
【００９９】
実施例１においては第５レンズ群Ｌ５を正の単レンズおよび負の単レンズの２枚で構成している。実施例２においては第５レンズＬ５を正レンズおよび負レンズの接合レンズで構成している。実施例３においては第４レンズ群Ｌ４を正レンズ１枚で構成している。
【０１００】
次に、本発明の実施形態１〜６の効果について収差図を用いて説明する。図４（Ａ）は実施例１の広角端において、第１レンズ群Ｌ１全体を光軸外に外し、第５レンズ群Ｌ５を動かすことで元のズームレンズの像面位置に戻した際の収差図である。
【０１０１】
一方、実施形態１〜３の図４（Ｂ）、図６、図８は補正群Ｌｉｎを挿入した際の収差図である。これらの比較により、補正群を追加することにより、主に像面湾曲、非点収差、倍率色収差が改善されていることがわかる。
【０１０２】
同様に、図１０（Ａ）は実施例１の広角端において、第１レンズ群Ｌ１の一部を光軸外に外し、第５レンズ群Ｌ５を動かすことで元のズームレンズの像面位置に戻した際の収差図である。
【０１０３】
一方、実施形態４の図１０（Ｂ）は補正群Ｌｉｎを挿入した際の収差図である。同様に、実施例２，３についてもそれぞれ、本件実施形態５，６の図１４、図１８の（Ａ）、（Ｂ）との比較から、非点収差、倍率色収差が改善されていることがわかる。
【０１０４】
次に、本発明の実施例１および実施形態１〜４に各々対応する数値実施例を１〜５、実施例２および実施形態５に各々対応する数値実施例を６、７、実施例３および実施形態６に各々対応する数値実施例を８，９として示す。
【０１０５】
各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【０１０６】
またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６
＋Ａ８ｈ８＋Ａ１０ｈ１０
で表示される。但しＲは近軸曲率半径である。
【０１０７】
また例えば「Ｅ−Ｚ」の表示は「１０−Ｚ」を意味する。数値実施例において最後の２つの面は、フィルター、フェースプレート等の光学ブロックの面である。
【０１０８】
各実施例において、バックフォーカス（ＢＦ）はレンズ最終面から近軸像面までの距離を空気換算長により表したものである。レンズ全長は最も物体側の面から最終面までの距離にバックフォーカスを加えたものである。また、各実施形態における上述した条件式との対応を表１に示す。
【０１０９】
本実施形態は以上の如く構成することにより、光学系全体が小型を維持したまま、広角化が可能となり、さらに収差を良好に補正した高倍率なズームレンズが得られる。
【０１１０】
［数値実施例１（実施例１）］
単位 mm
面データ
面番号       r        d      nd         vd
1        100.782    1.20   1.83400    37.2           
2         43.923    4.70   1.49700    81.5           
3       -153.661    0.05                             
4         36.378    3.05   1.48749    70.2           
5        110.853  (可変)                             
6        336.423    0.60   1.83481    42.7           
7          7.767    4.40                             
8        -20.253    0.50   1.80400    46.6           
9         49.497    0.05                             
10         19.461    1.93   1.94595    18.0           
11        764.635  (可変)                             
12(絞り)    ∞     (可変)                             
13*         8.630    2.75   1.49710    81.6           
14*       -38.173    2.57                             
15         25.659    0.40   1.80610    33.3           
16          9.257    0.60                             
17*        17.228    2.80   1.49710    81.6           
18*       -23.128    0.00                             
19          ∞     (可変)                             
20        -20.871    0.40   1.53160    55.8           
21         45.927  (可変)                             
22*        17.554    2.90   1.53160    55.8           
23        -15.171    0.30                             
24        -14.150    0.50   1.63540    23.9           
25        -26.397  (可変)                             
26          ∞       1.00   1.51633    64.1           
27          ∞     (可変)                             
像面        ∞   
非球面データ
第13面
K =-2.78153e-001  A 4= 7.43832e-006  A 6=-3.31083e-006  A 8=-1.12080e-007  
第14面
K = 0.00000e+000  A 4= 2.49781e-004  A 6=-1.10494e-005  
第17面
K = 0.00000e+000  A 4= 1.18472e-004  A 6=-1.48937e-005  
第18面
K = 0.00000e+000  A 4= 8.10575e-005  A 6=-4.92571e-006  
第22面
K = 0.00000e+000  A 4=-1.26943e-005  A 6= 2.05313e-007  
各種データ
ズーム比     43.18 
焦点距離       4.37    10.94   188.70     5.17    57.75  
Fナンバー      2.62     3.16     6.08     3.02     4.15  
画角          36.02    19.50     1.18    34.61     3.84  
像高           3.18     3.88     3.88     3.56     3.88  
レンズ全長    86.73    85.36   125.68    81.42   116.94  
BF             6.25    12.92     5.60     7.14    19.91  
d 5            0.65    14.49    59.46     1.44    48.59  
d11           29.76     7.00     1.05    29.21     1.13  
d12           10.88    10.87     0.35     4.46     4.54  
d19            4.10     5.16    11.75     4.81     9.27  
d21            5.40     5.23    17.78     4.65     3.79  
d25            4.59    11.26     3.94     5.48    18.25  
d27            1.00     1.00     1.00     1.00     1.00  
ズームレンズ群データ
群  始面    焦点距離  
1    1      77.26  
2    6      -8.64  
3   12       ∞    
4   13      15.82  
5   20     -26.94  
6   22      22.77  
7   26       ∞    
【０１１１】
［数値実施例２（実施形態１）］
単位 mm
面データ
面番号       r        d      nd         vd
1        336.423    0.60   1.83481    42.7           
2          7.767    4.40                             
3        -20.253    0.50   1.80400    46.6           
4         49.497    0.05                             
5         19.461    1.93   1.94595    18.0           
6        764.635  (可変)                             
7(絞り)    ∞     (可変)                             
8*         8.630    2.75   1.49710    81.6           
9*       -38.173    2.57                             
10         25.659    0.40   1.80610    33.3           
11          9.257    0.60                             
12*        17.228    2.80   1.49710    81.6           
13*       -23.128    0.00                             
14          ∞     (可変)                             
15        -20.871    0.40   1.53160    55.8           
16         45.927  (可変)                             
17*        17.554    2.90   1.53160    55.8           
18        -15.171    0.30                             
19        -14.150    0.50   1.63540    23.9           
20        -26.397  (可変)                             
21         86.815    1.00   1.84666    23.8           
22        -77.199  (可変)                             
23          ∞       1.00   1.51633    64.1           
24          ∞     (可変)                             
像面        ∞   
非球面データ
第8面
K =-2.78153e-001  A 4= 7.43832e-006  A 6=-3.31083e-006  A 8=-1.12080e-007  
第9面
K = 0.00000e+000  A 4= 2.49781e-004  A 6=-1.10494e-005  
第12面
K = 0.00000e+000  A 4= 1.18472e-004  A 6=-1.48937e-005  
第13面
K = 0.00000e+000  A 4= 8.10575e-005  A 6=-4.92571e-006  
第17面
K = 0.00000e+000  A 4=-1.26943e-005  A 6= 2.05313e-007  
各種データ
焦点距離       3.52  
Fナンバー      2.49  
画角          42.05  
像高           3.18  
レンズ全長    77.73  
BF             2.66  
d 6           29.76  
d 7           10.88  
d14            4.10  
d16            5.68  
d20            2.96  
d22            1.00  
d24            1.00  
各レンズ群データ
群  始面    焦点距離  
1    1      -8.64  
2    7       ∞    
3    8      15.82  
4   15     -26.94  
5   17      22.77  
6   21      48.40  
7   23       ∞    
【０１１２】
［数値実施例３（実施形態２）］
単位 mm
面データ
面番号       r        d      nd         vd
1        336.423    0.60   1.83481    42.7           
2          7.767    4.40                             
3        -20.253    0.50   1.80400    46.6           
4         49.497    0.05                             
5         19.461    1.93   1.94595    18.0           
6        764.635  (可変)                             
7(絞り)    ∞     (可変)                             
8*         8.630    2.75   1.49710    81.6           
9*       -38.173    2.57                             
10         25.659    0.40   1.80610    33.3           
11          9.257    0.60                             
12*        17.228    2.80   1.49710    81.6           
13*       -23.128    0.00                             
14          ∞     (可変)                             
15        -20.871    0.40   1.53160    55.8           
16         45.927  (可変)                             
17        -58.002    1.00   1.83481    42.7           
18        -30.917  (可変)                             
19*        17.554    2.90   1.53160    55.8           
20        -15.171    0.30                             
21        -14.150    0.50   1.63540    23.9           
22        -26.397  (可変)                             
23          ∞       1.00   1.51633    64.1           
24          ∞     (可変)                             
像面        ∞   
非球面データ
第8面
K =-2.78153e-001  A 4= 7.43832e-006  A 6=-3.31083e-006  A 8=-1.12080e-007  
第9面
K = 0.00000e+000  A 4= 2.49781e-004  A 6=-1.10494e-005  
第12面
K = 0.00000e+000  A 4= 1.18472e-004  A 6=-1.48937e-005  
第13面
K = 0.00000e+000  A 4= 8.10575e-005  A 6=-4.92571e-006  
第19面
K = 0.00000e+000  A 4=-1.26943e-005  A 6= 2.05313e-007  
各種データ
焦点距離       3.64  
Fナンバー      2.57  
画角          41.10  
像高           3.18  
レンズ全長    77.73  
BF             3.66  
d 6           29.76  
d 7           10.88  
d14            4.10  
d16            1.00  
d18            6.64  
d22            2.00  
d24            1.00  
各レンズ群データ
群  始面    焦点距離  
1    1      -8.64  
2    7       ∞    
3    8      15.82  
4   15     -26.94  
5   17      78.00  
6   19      22.77  
7   23       ∞    
【０１１３】
［数値実施例４（実施形態３）］
単位 mm
面データ
面番号       r        d      nd         vd
1        336.423    0.60   1.83481    42.7           
2          7.767    4.40                             
3        -20.253    0.50   1.80400    46.6           
4         49.497    0.05                             
5         19.461    1.93   1.94595    18.0           
6        764.635  (可変)                             
7(絞り)    ∞     (可変)                             
8*         8.630    2.75   1.49710    81.6           
9*       -38.173    2.57                             
10         25.659    0.40   1.80610    33.3           
11          9.257    0.60                             
12*        17.228    2.80   1.49710    81.6           
13*       -23.128    0.00                             
14          ∞     (可変)                             
15        686.330    1.00   1.85135    40.1           
16*      -125.899  (可変)                             
17        -20.871    0.40   1.53160    55.8           
18         45.927  (可変)                             
19*        17.554    2.90   1.53160    55.8           
20        -15.171    0.30                             
21        -14.150    0.50   1.63540    23.9           
22        -26.397  (可変)                             
23          ∞       1.00   1.51633    64.1           
24          ∞     (可変)                             
像面        ∞   
非球面データ
第8面
K =-2.78153e-001  A 4= 7.43832e-006  A 6=-3.31083e-006  A 8=-1.12080e-007  
第9面
K = 0.00000e+000  A 4= 2.49781e-004  A 6=-1.10494e-005  
第12面
K = 0.00000e+000  A 4= 1.18472e-004  A 6=-1.48937e-005  
第13面
K = 0.00000e+000  A 4= 8.10575e-005  A 6=-4.92571e-006  
第16面
K = 0.00000e+000  A 4=-8.75128e-006  A 6= 1.11180e-007  
第19面
K = 0.00000e+000  A 4=-1.26943e-005  A 6= 2.05313e-007  
各種データ
ズーム比      1.00 
焦点距離       3.77  
Fナンバー      2.66  
画角          40.11  
像高           3.18  
レンズ全長    77.73  
BF             3.66  
d 6           29.76  
d 7           10.88  
d14            1.10  
d16            2.00  
d18            8.64  
d22            2.00  
d24            1.00  
ズームレンズ群データ
群  始面    焦点距離  
1    1      -8.64  
2    7       ∞    
3    8      15.82  
4   15     125.03  
5   17     -26.94  
6   19      22.77  
7   23       ∞    
【０１１４】
［数値実施例５（実施形態４）］
単位 mm
面データ
面番号       r        d      nd         vd
1         36.378    3.05   1.48749    70.2           
2        110.853  (可変)                             
3        336.423    0.60   1.83481    42.7           
4          7.767    4.40                             
5        -20.253    0.50   1.80400    46.6           
6         49.497    0.05                             
7         19.461    1.93   1.94595    18.0           
8        764.635  (可変)                             
9(絞り)    ∞     (可変)                             
10*         8.630    2.75   1.49710    81.6           
11*       -38.173    2.57                             
12         25.659    0.40   1.80610    33.3           
13          9.257    0.60                             
14*        17.228    2.80   1.49710    81.6           
15*       -23.128    0.00                             
16          ∞     (可変)                             
17        -20.871    0.40   1.53160    55.8           
18         45.927  (可変)                             
19*        17.554    2.90   1.53160    55.8           
20        -15.171    0.30                             
21        -14.150    0.50   1.63540    23.9           
22        -26.397  (可変)                             
23        -15.154    1.00   1.51633    64.1           
24        -12.317  (可変)                             
25          ∞       1.00   1.51633    64.1           
26          ∞     (可変)                             
像面        ∞   
非球面データ
第10面
K =-2.78153e-001  A 4= 7.43832e-006  A 6=-3.31083e-006  A 8=-1.12080e-007  
第11面
K = 0.00000e+000  A 4= 2.49781e-004  A 6=-1.10494e-005  
第14面
K = 0.00000e+000  A 4= 1.18472e-004  A 6=-1.48937e-005  
第15面
K = 0.00000e+000  A 4= 8.10575e-005  A 6=-4.92571e-006  
第19面
K = 0.00000e+000  A 4=-1.26943e-005  A 6= 2.05313e-007  
各種データ
焦点距離       3.86  
Fナンバー      2.44  
画角          39.43  
像高           3.18  
レンズ全長    79.71  
BF             2.75  
d 2            0.65  
d 8           29.76  
d 9           10.88  
d16            4.10  
d18            2.90  
d22            3.94  
d24            1.00  
d26            1.09  
各レンズ群データ
群  始面    焦点距離  
1    1     109.60  
2    3      -8.64  
3    9       ∞    
4   10      15.82  
5   17     -26.94  
6   19      22.77  
7   23     113.76  
8   25       ∞    
【０１１５】
［数値実施例６（実施例２）］
単位 mm
面データ
面番号       r        d      nd         vd
1         41.252    0.90   1.85478    24.8           
2         27.296    3.48   1.49700    81.5           
3      -1846.432    0.05                             
4         27.706    2.09   1.60311    60.6           
5         92.699  (可変)                             
6        149.068    0.45   1.83481    42.7           
7          6.256    3.65                             
8        -21.869    0.35   1.83481    42.7           
9         21.869    0.05                             
10         13.177    1.70   1.95906    17.5           
11        101.605  (可変)                             
12          ∞      -0.50                             
13*         7.304    2.10   1.49710    81.6           
14*      -201.686    1.34                             
15(絞り)    ∞       0.76                             
16          7.748    0.40   1.85478    24.8           
17          5.100    0.42                             
18*         7.373    2.20   1.49710    81.6           
19*       -55.045    0.00                             
20          ∞     (可変)                             
21        -25.374    0.40   1.77250    49.6           
22          6.899    1.35   1.69895    30.1           
23         26.908  (可変)                             
24         20.517    2.90   1.83481    42.7           
25        -15.272    0.40   1.92286    18.9           
26        -39.804  (可変)                             
27          ∞       1.00   1.51633    64.1           
28          ∞     (可変)                             
像面        ∞   
非球面データ
第13面
K =-3.76575e-001  A 4=-4.03525e-005  A 6=-8.04112e-006  A 8=-6.18783e-007  
第14面
K = 2.16540e+003  A 4= 2.63319e-004  A 6=-2.73344e-005  
第18面
K =-8.52982e-001  A 4= 1.10937e-003  A 6=-2.91564e-005  A 8= 6.32854e-007  
第19面
K = 0.00000e+000  A 4= 6.36358e-004  A 6=-2.71366e-005  A 8=-2.60193e-007  
各種データ
ズーム比     28.47 
焦点距離       4.62    16.24   131.62    70.82     7.34  
Fナンバー      3.30     4.69     7.10     5.72     3.74  
画角          35.78    13.42     1.69     3.13    26.88  
像高           3.33     3.88     3.88     3.88     3.72  
レンズ全長    64.48    68.97    85.77    84.60    62.96  
BF             8.91    17.75     5.35    14.87    11.93  
d 5            0.54    12.02    29.29    26.63     4.11  
d11           26.37     9.63     0.90     1.94    17.97  
d20            1.75     2.08     6.48     7.12     1.70  
d23            2.41     2.99    19.26     9.55     2.76  
d26            7.25    16.09     3.69    13.21    10.27  
d28            1.00     1.00     1.00     1.00     1.00  
ズームレンズ群データ
群  始面    焦点距離  
1    1      43.32  
2    6      -6.84  
3   12      11.67  
4   21     -14.67  
5   24      17.60  
6   27       ∞    
【０１１６】
［数値実施例７（実施形態５）］
単位 mm
面データ
面番号       r        d      nd         vd
1        149.068    0.45   1.83481    42.7           
2          6.256    3.65                             
3        -21.869    0.35   1.83481    42.7           
4         21.869    0.05                             
5         13.177    1.70   1.95906    17.5           
6        101.605  (可変)                             
7          ∞      -0.50                             
8*         7.304    2.10   1.49710    81.6           
9*      -201.686    1.34                             
10(絞り)    ∞       0.76                             
11          7.748    0.40   1.85478    24.8           
12          5.100    0.42                             
13*         7.373    2.20   1.49710    81.6           
14*       -55.045    0.00                             
15          ∞     (可変)                             
16        -25.374    0.40   1.77250    49.6           
17          6.899    1.35   1.69895    30.1           
18         26.908  (可変)                             
19         20.517    2.90   1.83481    42.7           
20        -15.272    0.40   1.92286    18.9           
21        -39.804  (可変)                             
22      -1545.929    1.50   1.53160    55.8           
23        -26.000  (可変)                             
24          ∞       1.00   1.51633    64.1           
25          ∞     (可変)                             
像面        ∞   
非球面データ
第8面
K =-3.76575e-001  A 4=-4.03525e-005  A 6=-8.04112e-006  A 8=-6.18783e-007  
第9面
K = 2.16540e+003  A 4= 2.63319e-004  A 6=-2.73344e-005  
第13面
K =-8.52982e-001  A 4= 1.10937e-003  A 6=-2.91564e-005  A 8= 6.32854e-007  
第14面
K = 0.00000e+000  A 4= 6.36358e-004  A 6=-2.71366e-005  A 8=-2.60193e-007  
各種データ
焦点距離       3.42  
Fナンバー      3.14  
画角          44.26  
像高           3.33  
レンズ全長    57.42  
BF             2.16  
d 6           26.37  
d15            1.75  
d18            1.45  
d21            6.21  
d23            0.50  
d25            1.00  
ズームレンズ群データ
群  始面    焦点距離  
1    1      -6.84  
2    7      11.67  
3   16     -14.67  
4   19      17.60  
5   22      49.73  
6   24       ∞    
【０１１７】
［数値実施例８（実施例３）］
単位 mm
面データ
面番号       r        d      nd         vd
1         18.970    0.65   1.92286    18.9           
2         14.652    2.55   1.77250    49.6           
3         79.254  (可変)                             
4         47.699    0.30   1.83481    42.7           
5          5.172    3.35                             
6        -15.443    0.30   1.77250    49.6           
7         39.841    0.05                             
8         12.408    1.20   1.95906    17.5           
9         54.194  (可変)                             
10          ∞      -0.40                             
11*         5.006    1.45   1.69350    53.2           
12*       -24.735    0.05                             
13(絞り)    ∞       0.00                             
14          4.574    0.95   1.48749    70.2           
15          8.434    0.30   1.84666    23.9           
16          3.161    1.00                             
17          ∞     (可変)                             
18*        10.897    2.00   1.58313    59.4           
19      -1000.000  (可変)                             
20          ∞       1.00   1.51633    64.1           
21          ∞     (可変)                             
像面        ∞   
非球面データ
第11面
K = 9.62130e-002  A 4=-9.53236e-004  A 6=-2.28096e-005  A 8=-2.73619e-007  
第12面
K =-2.97767e+000  A 4= 2.65038e-004  
第18面
K = 2.63867e-001  A 4=-2.21707e-005  A 6=-4.19380e-007  
各種データ
ズーム比      9.46 
焦点距離       4.44    18.26    42.00     7.57    22.09  
Fナンバー      3.09     4.41     7.10     3.50     4.70  
画角          36.58    11.98     5.27    26.40     9.95  
像高           3.29     3.88     3.88     3.76     3.88  
レンズ全長    36.27    42.60    56.32    34.61    45.58  
BF             3.27     8.64     4.31     5.99     8.39  
d 3            0.30    10.73    14.70     3.17    12.25  
d 9           13.77     2.33     0.86     7.12     1.81  
d17            5.19     7.15    22.70     4.58     9.38  
d19            1.61     6.98     2.65     4.33     6.73  
d21            1.00     1.00     1.00     1.00     1.00  
ズームレンズ群データ
群  始面    焦点距離  
1    1      33.89  
2    4      -6.36  
3   10       9.18  
4   18      18.50  
5   20       ∞    
【０１１８】
［数値実施例９（実施形態６）］
単位 mm
面データ
面番号       r        d      nd         vd
1         47.699    0.30   1.83481    42.7           
2          5.172    3.35                             
3        -15.443    0.30   1.77250    49.6           
4         39.841    0.05                             
5         12.408    1.20   1.95906    17.5           
6         54.194  (可変)                             
7          ∞      -0.40                             
8*         5.006    1.45   1.69350    53.2           
9*       -24.735    0.05                             
10(絞り)    ∞       0.00                             
11          4.574    0.95   1.48749    70.2           
12          8.434    0.30   1.84666    23.9           
13          3.161    1.00                             
14          ∞     (可変)                             
15*        10.897    2.00   1.58313    59.4           
16      -1000.000  (可変)                             
17        148.806    1.00   1.48749    70.2           
18        -18.236    0.50                             
19         -9.992    0.40   1.92286    18.9           
20        -12.047  (可変)                             
21          ∞       1.00   1.51633    64.1           
22          ∞     (可変)                             
像面        ∞   
非球面データ
第8面
K = 9.62130e-002  A 4=-9.53236e-004  A 6=-2.28096e-005  A 8=-2.73619e-007  
第9面
K =-2.97767e+000  A 4= 2.65038e-004  
第15面
K = 2.63867e-001  A 4=-2.21707e-005  A 6=-4.19380e-007  
各種データ
ズーム比      1.00 
焦点距離       3.17  
Fナンバー      2.87  
画角          46.05  
像高           3.29  
レンズ全長    32.77  
BF             1.82  
d 6           13.77  
d14            3.41  
d16            1.34  
d20            0.16  
d22            1.00  
ズームレンズ群データ
群  始面    焦点距離  
1    1      -6.36  
2    7       9.18  
3   15      18.50  
4   17      64.80  
5   21       ∞    
【０１１９】
【表１】
2019095628.tif 000003
【０１２０】
このように本発明のズームレンズをデジタルスチルカメラ等の撮像装置に適用することにより、光学系全体が小型を維持したまま、広角化が可能となり、さらに収差を良好に補正した高倍率なズームレンズが得ることが可能となる。
【符号の説明】
【０１２１】
Ｌ１  第１レンズ群      Ｌ２  第２レンズ群      Ｌ３  第３レンズ群
Ｌ４  第４レンズ群      Ｌ５  第５レンズ群      Ｌｉｎ  挿入レンズ群
【図１】
2019095628.tif 000004
【図２】
2019095628.tif 000005
【図３】
2019095628.tif 000006
【図４】
2019095628.tif 000007
【図５】
2019095628.tif 000008
【図６】
2019095628.tif 000009
【図７】
2019095628.tif 000010
【図８】
2019095628.tif 000011
【図９】
2019095628.tif 000012
【図１０】
2019095628.tif 000013
【図１１】
2019095628.tif 000014
【図１２】
2019095628.tif 000015
【図１３】
2019095628.tif 000016
【図１４】
2019095628.tif 000017
【図１５】
2019095628.tif 000018
【図１６】
2019095628.tif 000019
【図１７】
2019095628.tif 000020
【図１８】
2019095628.tif 000021